(57)【要約】【課題】深みと立体感のある表示手段を有する電気機器用化粧パネルを提供する。【解決手段】電気機器（図示せず）の取付面６に機械的に取り付けるための爪７を裏面に有する透明板５からなり、前記透明板５の裏面と前記取付面６との間に両面テープ８が施される電気機器用化粧パネルにおいて、前記透明板５の裏面に印刷９を設け、前記透明板５の、少なくとも前記爪７および両面テープ８の上方に位置する表面に、前記爪７及び両面テープ８が見えないようにする又は見えにくくするための印刷１０を備えたもので、両面テープ８により、信頼性の高い確実な防水構造が得られるとともに、印刷１０により爪７及び両面テープ８が見えず又は見えにくく、さらに透明板５の裏面に設けた印刷９により深みと立体感が得られ、質感の高い電気機器用化粧パネルを提供することができる。【選択図】図１
2006263278.tif 000002
【特許請求の範囲】
【請求項１】
電気機器の取付面に機械的に取り付けるための固定部材を裏面に有する透明板からなり、前記透明板の裏面と前記取付面との間にシール部材が施される電気機器用化粧パネルにおいて、前記透明板の裏面に表示手段を設け、前記透明板の、少なくとも前記固定部材および前記シール部材の上方に位置する表面に、前記固定部材および前記シール部材が見えないようにする又は見えにくくするための第二の表示手段を備えた電気機器用化粧パネル。
【請求項２】
透明板の裏面の表示手段を印刷フィルムで形成した請求項１に記載の電気機器用化粧パネル。
【請求項３】
第二の表示手段を断続的に配置し、前記第二の表示手段と前記透明板の裏面に配した表示手段とが交互に現れるようにした請求項１又は２に記載の電気機器用化粧パネル。
【請求項４】
透明板の裏面に第二の透明板を配置し、前記第二の透明板の裏面に第三の表示手段を施した請求項１〜３のいずれか１項に記載の電気機器用化粧パネル。
【発明の詳細な説明】
【技術分野】
【０００１】
本発明は、家庭用や業務用の調理器などの電気機器に使用される電気機器用化粧パネルに関するものである。
【背景技術】
【０００２】
従来の、この種の電気機器用化粧パネルは、透明部分を有し、また確実な防水性を必要とする場合は、裏面の爪などで電気機器の取付面に機械的に固定したうえ、両面テープなどで取付面へ防水のためのシールを兼ねて接着し、表面に不透明の表示をして裏面の爪や両面テープを見えないように構成している（例えば、特許文献１参照）。
【０００３】
図４は、上記特許文献１に記載された従来の電気機器用化粧パネルの例を示すもので、透明板１を爪２および両面テープ３で電気機器の取り付け部３０に取り付け、表面は窓部４以外に不透明の印刷をして裏面の爪２や両面テープ３を見えないようにしている。
【特許文献１】特開２００２−１４２９８６号公報
【発明の開示】
【発明が解決しようとする課題】
【０００４】
しかしながら、前記従来の電気機器用化粧パネルの構成では、印刷を透明板１の表面に施すため深みのある立体的な質感が得られなかった。
【０００５】
本発明は、前記従来の課題を解決するもので、深みと立体感のある電気機器用化粧パネルを提供することを目的とする。
【課題を解決するための手段】
【０００６】
前記従来の課題を解決するために、本発明の電気機器用化粧パネルは、電気機器の取付面に機械的に取り付けるための固定部材を裏面に有する透明板からなり、前記透明板の裏面と前記取付面との間にシール部材が施される電気機器用化粧パネルにおいて、前記透明板の裏面に表示手段を設け、前記透明板の、少なくとも前記固定部材および前記シール部材の上方に位置する表面に、前記固定部材および前記シール部材が見えないようにする又は見えにくくするための第二の表示手段を備えたもので、シール部材により、信頼性の高い確実な防水構造が得られるとともに、第二の表示手段により固定部材およびシール部材が外から見えず又は見えにくく、さらに透明板の裏面に設けた表示手段により深みと立体感が得られ、質感の高い電気機器用化粧パネルを提供することができる。
【発明の効果】
【０００７】
本発明の電気機器用化粧パネルは、信頼性の高い確実な防水構造が得られるとともに、透明板の裏面に設けた表示手段により深みと立体感が得られ、電気機器用化粧パネルの質感を高めることができる。
【発明を実施するための最良の形態】
【０００８】
第１の発明は、電気機器の取付面に機械的に取り付けるための固定部材を裏面に有する透明板からなり、前記透明板の裏面と前記取付面との間にシール部材が施される電気機器用化粧パネルにおいて、前記透明板の裏面に表示手段を設け、前記透明板の、少なくとも前記固定部材および前記シール部材の上方に位置する表面に、前記固定部材および前記シール部材が見えないようにする又は見えにくくするための第二の表示手段を備えたもので、シール部材により、信頼性の高い確実な防水構造が得られるとともに、第二の表示手段により固定部材およびシール部材が外から見えず又は見えにくく、さらに透明板の裏面に設けた表示手段により深みと立体感が得られ、質感の高い電気機器用化粧パネルを提供することができる。
【０００９】
第２の発明は、特に、第１の発明の透明板の裏面の表示手段を印刷フィルムで形成したもので、透明板の裏面への表示を容易にすることができる。
【００１０】
第３の発明は、特に、第１又は第２の発明の第二の表示手段を断続的に配置し、前記第二の表示手段と前記透明板の裏面に配した表示手段とが交互に現れるようにしたもので、表面と裏面の表示が交互に現れることにより透明板の厚みによる立体感をさらに強調して見せることができる。
【００１１】
第４の発明は、特に、第１〜３のいずれか一つの発明の透明板の裏面に第二の透明板を配置し、前記第二の透明板の裏面に第三の表示手段を施したもので、表示手段が三層になり、さらに深みと立体感のある電気機器用化粧パネルを提供することができる。
【００１２】
以下、本発明の実施の形態について、図面を参照しながら説明する。なお、この実施の形態によって本発明が限定されるものではない。
【００１３】
（実施の形態１）
図１は本発明の第１の実施の形態における電気機器用化粧パネルの断面図である。
【００１４】
図１において、５は、裏面に電気機器の取付面６に機械的に固定するための固定部材となる爪７を有する透明板であり、さらに透明板５の裏面の外周部には全周にわたって取付面６の内側への水の侵入を防止しまた透明板５ががたつかないようにするためのシール部材として両面テープ８を設けている。そして、透明板５の裏面の中央付近には表示手段として印刷９が施され、透明板５の爪７や両面テープ８の上方に位置する表面外周部５ａには、第二の表示手段として印刷１０が施されている。
【００１５】
本実施の形態においては、透明板５を、両面テープ８のみによらず爪７による機械的な手段を併用して取付面６へ取り付けているため、透明板５の脱落および水の浸入に対するシール性に関する信頼性が高く、そして印刷１０により爪７および両面テープ８が表から見えることなく、さらに透明板５の裏面に設けた印刷９は、表面からは透明板５の厚みの奥に見えるため深みと立体感のある電気機器用化粧パネルを提供することができる。
【００１６】
（実施の形態２）
図２は、本発明の第２の実施の形態における電気機器用化粧パネルの断面図である。
【００１７】
図２において、１１は、裏面に電気機器の取付面１２に機械的に固定するための固定部材となる爪１３を設けた透明板で、透明板１１の裏面の外周部の全周にわたって取付面１２の内側への水の侵入を防止しまた透明板１１ががたつかないようにするためのシール部材として両面テープ１４を設けている。透明板１１の裏面の中央付近には、表示手段として印刷フィルム１５が配置されている。そして、透明板１１の爪１３や両面テープ１４の表にあたる表面外周部１１ａには、第二の表示手段として印刷１６が施されており、この印刷１６は、爪１３や両面テープ１４の見えない部分で断続的に施してあり表面の印刷１６と裏面の印刷フィルム１５が近接して交互に見えるようにしている。
【００１８】
以上のように本実施の形態によれば、第１の実施の形態と同様、透明板１１を両面テープ１４のみによらず爪１３による機械的な手段を併用して取付面１２へ取り付けているため、透明板１１の脱落および水の浸入に対するシール性に関する信頼性が高く、印刷１６により爪１３および両面テープ１４が表から見えることなく、さらに透明板１１の裏面に設けた印刷フィルム１５は、表面からは透明板１１の厚みの奥に見えるため深みと立体感が得られる。また、透明板１１の裏面に設けた印刷フィルム１５は、透明板１１の裏面に直接印刷するより印刷作業を容易にすることができ、さらに透明板１１の表面と裏面の表示が近接して交互に現れる表示パターンにした部分では透明板１１の厚みによる立体感をより強調して見せることができる電気機器用化粧パネルを提供することができる。
【００１９】
（実施の形態３）
図３は、本発明の第３の実施の形態における電気機器用化粧パネルの断面図である。
【００２０】
図３において、１７は、裏面に電気機器の取付面１８へ機械的に固定するための固定部材となる爪１９を設けた透明板で、透明板１７の裏面の外周部の全周にわたって取付面１８の内側への水の侵入を防止しまた透明板１７ががたつかないようにするためのシール部材としての両面テープ２０を設けている。透明板１７の裏面の中央付近には第二の透明板２１が配置されている。そして、透明板１７の爪１９や両面テープ２０の表にあたる表面外周部１７ａには第二の表示手段としての印刷２２が施されており、また第二の透明板２１の裏面には第三の表示手段として印刷２３が施され、さらに表面には印刷２３を完全に隠すことなく、また印刷２２に完全に隠されない部分に表示手段として印刷２４が施されている。
【００２１】
以上のように本実施の形態によれば、第１の実施の形態と同様に透明板１７を両面テープ２０のみによらず爪１９による機械的な手段を併用して取付面１８へ取り付けているため、透明板１７の脱落および水の浸入に対するシール性に関する信頼性が高く、印刷２２により爪１９および両面テープ２０が表から見えることなく、また、表示が透明板１７の表面の印刷２２と第二の透明板２１の表面の印刷２４と裏面の印刷２３がそれぞれ透明板１７と第二の透明板２１の厚みを介して三層に見えることから、深みと立体感のある電気機器用化粧パネルを提供することができる。
【００２２】
なお、上記実施の形態では、透明板５、１１、１７を電気機器の取付面６、１２、１８に機械的に固定するための固定部材として爪を用いたが、ネジその他の止め具などを用いても良い。
【００２３】
又、上記実施の形態では、電気機器内側への水の侵入を防止し、また透明板５、１１、１７ががたつかないようにするためのシール部材として両面テープを用いたが、接着剤、シール材、パッキンを用いても良い。
【産業上の利用可能性】
【００２４】
以上のように本発明にかかる電気機器用化粧パネルは、信頼性の高い確実な防水構造が必要な電気湯沸かし器や電気炊飯器やミキサーなどの各種電気機器に利用できる。
【図面の簡単な説明】
【００２５】
【図１】本発明の実施の形態１における電気機器用化粧パネルの断面図
【図２】本発明の実施の形態２における電気機器用化粧パネルの断面図
【図３】本発明の実施の形態３における電気機器用化粧パネルの断面図
【図４】従来の電気機器用化粧パネルの断面図
【符号の説明】
【００２６】
５、１１、１７  透明板
６、１２、１８  取付面
７、１３、１９  爪（固定部材）
８、１４、２０  両面テープ（シール部材）
９、２４  印刷（表示手段）
１０、１６、２２  印刷（第二の表示手段）
１５  印刷フィルム（表示手段）
２１  第二の透明板
２３  印刷（第三の表示手段）
【図１】
2006263278.tif 000003
【図２】
2006263278.tif 000004
【図３】
2006263278.tif 000005
【図４】
2006263278.tif 000006